(57)【要約】【課題】回転軸を中心に回動する電池蓋を有する電子機器において、簡素な構成で部品点数を多くすることなく、電池蓋を開く動作態様の品位に優れ、電池蓋の開動作による傷を軽減できるようにする。【解決手段】機器本体に設けられた電池室の開口部を、回転軸を中心に回動して開閉するように前記機器本体に軸着された電池蓋を備え、前記電池蓋を開方向に付勢するばね部材と、前記電池蓋に設けられた穴部と、前記穴部を開放可能に塞ぐように前記電池蓋に取り付けられた、少なくとも一部に弾性材料で形成された当接部を有するカバーと、を有し、前記電池蓋を開方向に回動させたときに、前記電池蓋よりも先に前記カバーの当接部が前記機器本体に当接させる。【選択図】図６
2012038465.tif 000002
【特許請求の範囲】
【請求項１】
機器本体に設けられた電池室の開口部を、回転軸を中心に回動して開閉するように前記機器本体に軸着された電池蓋を備える電子機器であって、
前記電池蓋を開方向に付勢するばね部材と、
前記電池蓋に設けられた穴部と、
前記穴部を開放可能に塞ぐように前記電池蓋に取り付けられた、少なくとも一部に弾性材料で形成された当接部を有するカバーと、を有し、
前記電池蓋を開方向に回動させたときに、前記電池蓋よりも先に前記カバーの当接部が前記機器本体に当接することを特徴とする電子機器。
【請求項２】
前記電池蓋を開方向に回動させたときに、前記当接部は前記機器本体に設けられた三脚取り付け部と当接することを特徴とする請求項１に記載の電子機器。
【請求項３】
前記電池蓋を開方向に回動させたときに、前記当接部が前記機器本体に当接して弾性変形してから、前記電池蓋が前記機器本体に設けられた開方向への回動を制止するストッパー部と当接することを特徴とする請求項１又は２に記載の電子機器。
【請求項４】
前記当接部は、前記カバーの前記回転軸側の端部に設けられることを特徴とする請求項１乃至３のいずれか1項に記載の電子機器。
【請求項５】
前記穴部は、前記電池蓋が閉状態のときに前記電池室内に収納された電池カプラーに外部電源ケーブルを接続するための開口であることを特徴とする請求項1乃至４のいずれか1項に記載の電子機器。
【発明の詳細な説明】
【技術分野】
【０００１】
本発明は、電池収納部を開閉する電池蓋を備えた電子機器に関する。
【背景技術】
【０００２】
デジタルカメラ等の電子機器の電池蓋には、閉状態電池蓋のロックを解除したときに、トーションバネ等の付勢手段により回転軸を中心に電池蓋を回動させて自動的に開状態となるように構成されたものがある。また、電子機器の電池蓋には、閉状態の電池蓋をスライドさせて機器本体とのロックを外すと、トーションバネ等の付勢手段により回転軸を中心に電池蓋が自動的に開状態となるように構成されたものがある。
【０００３】
このような電池蓋では、電池蓋が回動して開いたときに、電池蓋の一部が電子機器本体側に設けられたストッパー部と当接して開状態が維持される。ユーザーは、この電池蓋の開状態で、電子機器に電池を装填し又は取り出す作業を行う。
【０００４】
この電池蓋は、樹脂などの硬質材料で形成されるのが一般的である。また、電池蓋の回動動作を止める電子機器本体側のストッパー部は、例えば金属製の外装カバー、樹脂カバー又はその他の内部部品といった硬質材料で形成されている。
【０００５】
そのため、トーションばねの付勢力が強い場合には、電池蓋が回動してストッパー部に当接する際の衝撃により電池蓋及び電子機器本体に傷がつき易い。逆にトーションばねの付勢力が弱い場合には、電池蓋が回動してストッパー部に当接した際の反動で電池蓋が何度も跳ね返るので、電子機器自体の品位が損なわれる。
【０００６】
そこで、従来では、収納部本体の開口部に、開方向へ付勢する弾性部材によって蓋体を自動的に開動作させる構造において、ダンパ装置を備えたものが提案されている。このダンパ装置は、蓋体が開動作によりストッパー部と当接する直前に弾性部材の付勢力を減衰するよう構成されている（例えば、特許文献１参照）。
【０００７】
また、従来、回転軸を中心に付勢力によりポップアップ状態へと姿勢変化する移動部にダンパ機構を設けたものがある。このダンパ機構では、移動する筐体内部の空間に移動自在に収納された移動部が収納状態からポップアップ状態へと姿勢変化する。その際に、このダンパ機構では、慣性力の作用により、筐体内部の内壁に衝突して姿勢変化直後の反動を押さえる重量物を設けて構成されている（例えば、特許文献２参照）。
【先行技術文献】
【特許文献】
【０００８】
【特許文献１】特開２００３−１１８４６７号公報
【特許文献２】特開２００７−８５４２２号公報
【発明の概要】
【発明が解決しようとする課題】
【０００９】
しかしながら、蓋体を自動的に開動作させる構造にダンパ装置を付加する構成をデジタルカメラなどの電子機器の電池蓋に適用した場合には、電子機器の本体自体が大型化し、電子機器の小型化及び薄型化を図る要望と一致しない。さらに、この場合には、部品点数が増えるためコストアップに繋がる。
【００１０】
また、筐体内部の内壁に衝突して姿勢変化直後の反動を押さえる重量物を設けるダンパ機構をデジタルカメラなどの電子機器の電池蓋に適用する場合には、電子機器の本体自体が大型化する。これは、筐体内部に移動部を収納状態からポップアップ状態へと姿勢変化可能に装着するために移動部の内部に広い空間が必要となり、移動部自体が大型化してしまうという問題がある。
【００１１】
本発明では、回転軸を中心に回動する電池蓋を有する電子機器において、簡素な構成で部品点数を多くすることなく、電池蓋を開く動作態様の品位に優れ、電池蓋の開動作による傷を軽減できるようにすることを目的とする。
【課題を解決するための手段】
【００１２】
上記課題を解決するために、本発明にかかる電子機器は、機器本体に設けられた電池室の開口部を、回転軸を中心に回動して開閉するように前記機器本体に軸着された電池蓋を備える電子機器であって、前記電池蓋を開方向に付勢するばね部材と、前記電池蓋に設けられた穴部と、前記穴部を開放可能に塞ぐように前記電池蓋に取り付けられた、少なくとも一部に弾性材料で形成された当接部を有するカバーと、を有し、前記電池蓋を開方向に回動させたときに、前記電池蓋よりも先に前記カバーの当接部が前記機器本体に当接することを特徴とする。
【発明の効果】
【００１３】
本発明によれば、回転軸を中心に回動する電池蓋を有する電子機器において、簡素な構成で部品点数を多くすることなく、電池蓋を開く動作態様の品位に優れ、電池蓋の開動作による傷を軽減できる。
【図面の簡単な説明】
【００１４】
【図１】本発明の電子機器全体の外観斜視図である。
【図２】本発明の電子機器における電池蓋付近を示す要部底面図である。
【図３】本発明の電池蓋ユニットの分解斜視図である。
【図４】本発明の電子機器における電池蓋付近を示す要部底面図である。
【図５】本発明の電子機器における電池蓋付近を示す電池蓋開状態での要部斜視図である。
【図６】三脚取り付け部とケーブルカバーとが当接した状態での断面図及び要部拡大図である。
【図７】電池蓋と本体ストッパー部とが当接した状態での断面図及び要部拡大図である。
【図８】デジタルカメラで、電池の代わりにケーブル端子を用いた状態を示す要部斜視図である。
【発明を実施するための形態】
【００１５】
以下、本発明の電子機器の実施の形態に係わるデジタルカメラについて、図面を参照しながら説明する。
【００１６】
図１は本実施の形態に係わるデジタルカメラ１０１の外観斜視図であり、図１（ａ）はデジタルカメラ１０１の正面側（被写体側）からの外観図、図１（ｂ）は背面側（撮影者側）からの外観図である。１は撮影準備及び撮影開始を指示するためのレリーズボタン、２はズームレバーである。このズームレバー２は、光学式変倍機能又はデジタル式変倍機能において、その倍率を調節操作するためのものである。このズームレバー２は、レリーズボタン１の中心に対し所定の角度まで回動可能に構成されている。
【００１７】
３はデジタルカメラ１０１の電源のＯＮ、ＯＦＦ機能を持つ電源ボタン、４は撮影モードを切り替えるモードレバーである。さらに、５は焦点位置を正確に知るためのＡＦ補助光窓、６は発光部、７は鏡筒レンズ、８は撮影したデータを記録するためのメモリーカード挿入口を覆うメモリーカードカバー、９は電池蓋である。このメモリーカードカバー８及び電池蓋９は、開閉時にカメラ本体に対してスライド及び回動動作を行うように構成されている。
【００１８】
１０はスピーカー穴、１１は撮影画像の確認・再生、撮影条件等の各種情報を表示するための液晶表示装置である。また、１２はコネクタカバーであり、各種外部デバイスに接続するために、プリント基板上に実装された端子類を保護する。
【００１９】
本実施の形態のデジタルカメラ１０１は、テレビ受信機等の外部映像デバイスに接続するためのアナログビデオ端子、外部直流電源に接続するための電源端子又はＰＣ等に接続するためのデジタル端子のうち少なくとも１つを備える。
【００２０】
１３はストラップを通すためストラップ穴が設けられたストラップ取り付け部であり、１４〜１８は、中央のボタンと周囲のボタンから構成された、撮影時や画像再生時に各種設定をするために使用される操作ボタン群である。
【００２１】
図２は、本実施の形態に係わるデジタルカメラ１０１における電池蓋付近を示す要部底面図であり、本実施の形態に係わるデジタルカメラ１０１は底面部に、電池室の開口を塞ぐための電池蓋９を備える。また、このデジタルカメラ本体の底面部における電池蓋９に隣接した所定箇所には、三脚の上にデジタルカメラ本体を固定して撮影を行う際に使用するための硬質部材で形成された三脚取り付け部１９が配設されている。
【００２２】
デジタルカメラ本体の電池室における開口部には、電池蓋９を開いたときに電池３０が電池室の内部に配置された排出バネに押されて不用意に飛び出さないように制止するための電池ロック２９が設けられている。この電池ロック２９は、基端部が軸着されたアーム状の係止部材として構成されている。この電池ロック２９は、自由端部を回動して退避位置に移動した状態で、電池３０の挿入又は取り外しを行う。また、この電池ロック２９は、電池３０を電池室に挿入した状態で自由端部を回動して電池３０に当接するロック位置へ移動することにより、電池３０が電池室から飛び出さないように保持する。
【００２３】
次に、このデジタルカメラ１０１における電池蓋ユニットについて図３の分解斜視図を参照して説明する。この電池蓋ユニットは、電池蓋９の蓋構造部材９０、ケーブルカバー２０、スライドプレート２４及びクリックプレート２２を備える。
【００２４】
この電池蓋ユニットでは、蓋構造部材９０の内側面部に、それぞれ金属薄板を板金加工で形成した、クリックプレート２２とスライドプレート２４とを重ねて置き、２本のねじ２５、２６によって蓋構造部材９０に締結する。
【００２５】
このように構成した電池蓋ユニットでは、蓋構造部材９０とスライドプレート２４との間にクリックプレート２２が摺動自在に保持されることになる。すなわち、後述するように、デジタルカメラ本体に軸着されたクリックプレート２２に対して、蓋構造部材９０及びスライドプレート２４がスライド動作可能に支受される。
【００２６】
また、クリックプレート２２には、先端をＲ形状のクリック部２２ｂに形成したアームが形成されている。このクリックプレート２２のアームは、先端のクリック部２２ｂが、蓋構造部材９０の山部９ｂを乗り越えて摺動するよう構成されている。このため、電池蓋９をスライドさせたときに、クリック部２２ｂが電池蓋の山部９ｂを乗り越えることによって、電池蓋９が収納位置又は延出位置から移動する際にクリックの感触が発生する。これにより、ユーザーは、電池蓋９を開方向又は閉方向へ移動操作する際に、クリック部２２ｂが山部９ｂを乗り越えることによる適度な操作感を得ることができる。
【００２７】
この蓋構造部材９０とスライドプレート２４とに挟持された状態で保持されているクリックプレート２２の両端から延出された基端部には、それぞれ軸孔が穿孔されている。
【００２８】
そして、図３、図６及び図７に示すように、クリックプレート２２の基端部の軸孔とデジタルカメラ側に設けられた軸受孔とに回転軸となるシャフト２３を挿通して、デジタルカメラ本体に対して電池蓋ユニットを軸着する。
【００２９】
これと共に、このシャフト２３には、ねじりコイルばねであるトーションばね２１のコイル部の穴が挿通され、トーションばね２１の一方の端部がデジタルカメラ側に係止され、他方の端部が電池蓋９に係止される。このように配置されたトーションばね２１により、電池蓋９には、シャフト２３を軸として開方向に回動する付勢力が付与される。
【００３０】
次に、このデジタルカメラ１０１において、充電式の電池３０の代わりに電池カプラー１０４を電池室に収納し、外部電源から引き出された外部電源ケーブル１０７を電池蓋ユニットを通し、電池カプラー１０４に接続して使用するための構成について説明する。
【００３１】
この電池蓋ユニットでは、蓋構造部材９０の中央部にケーブル穴（穴部）９ａが穿設され、クリックプレート２２にケーブル穴２２ａが穿設され、スライドプレート２４にＵ字状に切欠したケーブル通し用逃げ凹部が形成されている。
【００３２】
これにより、この電池蓋ユニットでは、外部からケーブル穴９ａ、ケーブル穴２２ａ及びケーブル通し用逃げ凹部を通してデジタルカメラ１０１の電池室内で外部電源ケーブル１０７を接続することが可能に構成されている。
【００３３】
また、この電池蓋９には、ケーブル穴９ａを開放可能に塞ぐため、柔軟性のあるゴム等の弾性材料で形成されたケーブルカバー２０が取り付けられている。
【００３４】
このケーブルカバー２０はその一端部に、弾性材料で形成されて突設された先端が矢じり状の取付軸２０ａを有し、ケーブルカバー２０は取付軸２０aを電池蓋９に穿孔された取付穴９ｃに挿通して取り付けられる。このケーブルカバー２０の取付軸２０ａは、先端が矢じり状なので電池蓋９の取付穴９ｃに容易に差し込んで取り付けることができると共に、脱落しにくく取り付けることができる。
【００３５】
また、このケーブルカバー２０には、その他端部に鉤部が突設されている。このケーブルカバー２０は、鉤部を蓋構造部材９０の係着用の穴に係止することによって、ケーブルカバー２０の本体がケーブル穴９ａ等を塞いでゴミや異物の進入を防ぐ閉じ状態に保持されるように構成されている。なお、ケーブルカバー２０は、全体が弾性材料で形成されてなくてもよく、少なくとも一部に弾性部材で形成された後述の当接部３３が設けられていればよい。
【００３６】
また、このデジタルカメラ１０１の底部には、三脚取り付け部１９と隣接する箇所に、ケーブルカバー２０を開くときの指係りとする凹部１９ｂが形成されている。
【００３７】
このケーブルカバー２０の凹部１９ｂに隣接する外側面には、指がかかりやすくするための凸形状２０ｂが形成されている。この凸形状２０ｂは、電池蓋９を、図４ａの矢印Ａの方向へ移動させる際に、指を滑り難くし、矢印Ａ方向への移動操作を容易にさせるためのものである。
【００３８】
このデジタルカメラ１０１で電池カプラー１０４を使用して外部電源と接続する場合には、図８（ａ）に示した従来のデジタルカメラと同様に、電池室内に電池カプラー１０４を挿入し、電池蓋９を閉じる。そして、図８（ｂ）に示した従来のデジタルカメラと同様に、ケーブルカバー２０を開き、電池蓋９のケーブル穴９ａ等を露呈させる。さらに、ケーブル穴９ａ等を通して外部電源ケーブル１０７を電池カプラー１０４のケーブル端子１０５に接続する。このようにして、本実施の形態に係わるデジタルカメラ１０１でも外部から電源の供給を受ける状態にセットされる。
【００３９】
次に、図４を用いて、電池蓋９をデジタルカメラ本体に対してスライド及び回動させることにより、スムーズに開閉可能とするための構成について説明する。
【００４０】
このデジタルカメラ１０１では、電池蓋９を閉状態としたときに、図４（ａ）に示す電池蓋９の内側に向けて突設された爪９ｄ、９ｅが、デジタルカメラ本体の電池室外面両角部に形成された係止凹部３１、３２に係合される。これにより、電池蓋９は、閉位置において、矢印Ｂ方向への回動が制止されて、図４（ａ）に示す閉状態が維持される。
【００４１】
次に、このデジタルカメラ１０１で、電池蓋９を開く場合には、図４（ａ）に示す閉状態から、ユーザーが電池蓋９を矢印Ａ方向へスライドさせて、図４（ｂ）に示す状態とする。この図４（ｂ）に示す状態では、電池蓋９の爪９ｄ、９ｅが電池室の係止凹部３１、３２から外れた状態となる。このため、デジタルカメラ本体にシャフト２３によって軸着されている電池蓋９は、トーションばね２１の付勢力によって矢印Ｂ方向へ回動し、カメラ本体に対して図４（ｃ）に示したような開状態に移行する。
【００４２】
次に、この電池蓋ユニットを開く際に、跳ね返りが起きることなくスムーズに開動作させるための構成について説明する。
【００４３】
この電池蓋ユニットには、図４（ｂ）、図６（ｂ）及び図７（ｂ）に示すように、電池蓋９が開状態となったときにデジタルカメラ本体と当接するストッパー部２７、２８が設けられている。
【００４４】
このストッパー部２７、２８は、開状態に移行した際に、電池蓋９の基端部（シャフト２３近くの端部）の外側面に当接して、開動作を制止させるように構成されている。このデジタルカメラ１０１には、電池蓋９のシャフト２３近くの端部が開状態となったときにデジタルカメラ本体に衝突するのを避けるよう逃げ凹部が形成されている。このデジタルカメラ１０１では、この逃げ凹部の角部が開状態の電池蓋９に当接して開動作を制止させるストッパー部２７、２８として構成されている。
【００４５】
また、この電池蓋ユニットには、図５に示すように、ケーブルカバー２０をデジタルカメラ本体の三脚取り付け部１９に当接させる当接部３３が設定されている。この当接部３３は、ケーブルカバー２０のシャフト２３側（回転軸側）の端部に設けられている。この電池蓋ユニットでは、開動作した際に、電池蓋９のストッパー部２７、２８がデジタルカメラ本体と当接するより先の直前の時点で、当接部３３でケーブルカバー２０が三脚取り付け部１９の当接部１９ａと当接するように構成されている。このため、この電池蓋ユニットでは、蓋構造部材９０のシャフト２３側の中央部分の端面とケーブルカバー２０の端面とが略同一面となるように構成されている。なお、この電池蓋ユニットでは、ケーブルカバー２０の端面を蓋構造部材９０の中央部分の端面より延出させるように構成しても良い。
【００４６】
次に、この電池蓋ユニットを開く際に、跳ね返りが起きることなくスムーズに開動作させる構成による作用及び効果について説明する。
【００４７】
このデジタルカメラ１０１では、図４（ｂ）に示すように、電池蓋９を矢印Ａ方向に移動すると、トーションばね２１の付勢力により、電池蓋９が自動的に矢印Ｂ方向に回転して開動作を行う。この開動作により、電池蓋９が矢印Ｂ方向に回転して停止位置の直前まで至ると、図５、図６に示すように、ケーブルカバー２０の端部にあたる当接部３３が三脚取り付け部１９の当接部１９ａに当接する。このとき、ケーブルカバー２０の当接部３３は弾性変形して、電池蓋９の開動作が制止されるときの衝撃を吸収し、異音の発生を抑制し、電池蓋９の跳ね返りによる振動動作を抑制する。
【００４８】
この電池蓋９の開動作では、トーションばね２１の付勢力によって電池蓋９が更に回動すると、図７に示すように電池蓋９の基端部の外側面がデジタルカメラ本体のストッパー部２７、２８に当接して制止された開状態に至る。
【００４９】
このように構成したデジタルカメラ１０１では、トーションばね２１の付勢力が強い場合でも、硬質部材製の電池蓋９と硬質部材製のデジタルカメラ本体とが勢い良く衝突することがない。このため、この電池蓋９は、開動作による傷を軽減することができる。また、トーションばね２１の付勢力が弱い場合でも、柔軟性のあるゴム状態の弾性材料製であるケーブルカバー２０の当接部３３が、先に三脚取り付け部１９の当接部１９ａに当接して衝撃を吸収することができる。
【００５０】
よって、電池蓋９が開動作の際に、デジタルカメラ本体のストッパー部２７に当たったときの衝撃で跳ね返りが起きることを抑制できる。なお、上述した説明では、デジタルカメラ本体における片側のストッパー部２７について説明したが、図５に示すストッパー部２８もストッパー部２７と同様に機能する。
【００５１】
また、本実施の形態に係わるデジタルカメラ１０１では、柔軟な弾性部材であるケーブルカバー２０の当接部３３が、硬質部材である三脚取り付け部１９の当接部１９ａに先に当接することになる。このとき、弾性部材であるケーブルカバー２０の弾性により、ダンパ機構と同じ効果を得ることができる。
【００５２】
つまり、電池蓋９とデジタルカメラ１０１のストッパー部２７の硬質材料同士が当接するよりも先に、柔軟な弾性部材のケーブルカバー２０の当接部３３が硬質部材である電子機器本体の三脚取り付け部１９の当接部１９ａに当たる。これにより、トーションばね２１の付勢力が軽減される。
【００５３】
そのため、電池蓋９やデジタルカメラ本体に傷がつくことを抑制できる。さらにはトーションばね２１の付勢力による電池蓋９の跳ね返りも発生しないため、品位のある電池蓋９を構成することが可能である。
【００５４】
また、電池蓋９が閉状態のときに三脚取り付け部１９のケーブルカバー２０と隣接する位置に凹部１９ｂを設け、ケーブルカバー２０を開いてケーブル穴９ａを露出させるときに指をケーブルカバー２０に容易にかけられ、ケーブルカバー２０を開きやすくしている。そして、凹部１９ｂをケーブルカバー２０と当接する当接部１９aよりもケーブルカバー２０側に配置し、電池蓋９が開状態のときにケーブルカバー２０の当接部３３と凹部１９ｂとが対向しないようにしている。これにより、ケーブルカバー２０の当接部１９aとデジタルカメラ本体とが当接する面積を広くし、開動作時により多くの衝撃を吸収することができるようにしている。
【００５５】
また、この電池蓋９は、スライドしてから、開き方向に付勢するトーションばね２１の付勢力によって回転軸を中心に回動し、開動作を行う。ここで、電池蓋９をスライドさせる際に、ケーブルカバー２０に凸形状２０ｂが形成されているので、スライド時に指が係り易くなる。このように構成した場合には、ケーブルカバーは柔軟な弾性部材であり、指が滑り難いため、樹脂で形成された電池蓋９で形成される凸部よりも、指が引っ掛り易く、電池蓋９を容易にスライドすることが可能でなる。また、凸形状２０ｂをケーブルカバーを開ける際の支点近傍に配置することで、電池蓋９をスライドさせるときに誤ってケーブルカバー２０を開けてしまうことを抑制できる。
【００５６】
また、このデジタルカメラ１０１では、弾性部材であるケーブルカバー２０を利用して、電池蓋９の開動作時の衝撃力を吸収するように構成した。これにより電池蓋を開く動作態様の品位に優れたデジタルカメラ１０１を提供できる。
【００５７】
さらに、このデジタルカメラ１０１は、電池蓋９の開動作時の衝撃力を吸収するためのダンパ部材を新たに用いなくても構成できるので、構成が簡素で部品点数が少なく小型化可能で廉価に製造できる。
【符号の説明】
【００５８】
９  電池蓋
１９  三脚取り付け部
２０  ケーブルカバー
２７  ストッパー部
２８  ストッパー部
３３  当接部（ケーブルカバー側）
【図１】
2012038465.tif 000003
【図２】
2012038465.tif 000004
【図３】
2012038465.tif 000005
【図４】
2012038465.tif 000006
【図５】
2012038465.tif 000007
【図６】
2012038465.tif 000008
【図７】
2012038465.tif 000009
【図８】
2012038465.tif 000010